(57)【特許請求の範囲】
【請求項１】
タッチパネルディスプレイ装置と、前記タッチパネルディスプレイ装置を制御する制御装置と、を備えた表示システムであって、
前記制御装置は、
画面上にボードが表示されるように前記タッチパネルディスプレイ装置を制御する表示制御部と、
前記タッチパネルディスプレイ装置に対してジェスチャー操作が行なわれた場合、前記ボードの全体または一部に対する入力を無効にし、前記画面の全体または一部に対する操作を可能とする処理を実行する裏面操作処理部と、
を備え、
前記ジェスチャー操作は、前記ボードの背後に配置されている前記画面の全体を指定するための裏面指定用ジェスチャー操作であり、
前記裏面操作処理部は、
前記裏面指定用ジェスチャー操作が行なわれた場合、前記ボードの全体に対する入力を無効にし、前記画面の全体に対する操作を可能とする裏面指定操作処理を実行する裏面指定操作処理部を有し、
前記裏面指定操作処理部は、前記裏面指定操作処理において、前記ボードの全体に対する入力を無効にしたときに、前記裏面指定操作処理の実行通知として、前記ボードに表示されている表示情報の表示濃度を、第１表示濃度から、前記第１表示濃度よりも薄い第２表示濃度に変更することを特徴とする表示システム。
【請求項２】
前記裏面指定操作処理部は、
前記裏面指定操作処理において、前記画面に対する操作が行なわれずに所定時間が経過した場合、前記裏面指定操作処理の実行終了として、前記ボードの全体に対する入力を有効にし、
前記裏面指定操作処理の実行終了通知として、前記ボード上の前記表示情報の表示濃度を、前記第２表示濃度から前記第１表示濃度に変更することを特徴とする請求項１に記載の表示システム。
【請求項３】
前記裏面指定操作処理部は、
前記裏面指定操作処理において、前記所定時間が経過する前に、前記画面に対する操作が行なわれた場合、前記ボードの全体に対する入力の無効を継続し、
前記裏面指定操作処理の実行継続通知として、前記ボード上の前記表示情報の表示濃度を、前記第１表示濃度と前記第２表示濃度との間の第３表示濃度から、前記第２表示濃度に変更することを特徴とする請求項２に記載の表示システム。
【請求項４】
前記裏面指定操作処理部は、
前記裏面指定操作処理において、前記裏面指定操作処理の実行を終了するための復帰用ジェスチャー操作が行なわれた場合、前記裏面指定操作処理の実行終了として、前記ボードの全体に対する入力を有効にし、
前記裏面指定操作処理の実行継続通知として、前記ボード上の前記表示情報の表示濃度を、前記第２表示濃度から前記第１表示濃度に変更することを特徴とする請求項１に記載の表示システム。
【請求項５】
タッチパネルディスプレイ装置と、前記タッチパネルディスプレイ装置を制御する制御装置とを備えた表示システムであって、
前記制御装置は、
画面上にボードが表示されるように前記タッチパネルディスプレイ装置を制御する表示制御部と、
前記タッチパネルディスプレイ装置に対してジェスチャー操作が行なわれた場合、前記ボードの全体または一部に対する入力を無効にし、前記画面の全体または一部に対する操作を可能とする処理を実行する裏面操作処理部と、
を備え、
前記ジェスチャー操作は、前記ボードの背後に配置されている前記画面内の任意の領域を指定領域として指定するための裏面領域指定用ジェスチャー操作であり、
前記裏面操作処理部は、
前記裏面領域指定用ジェスチャー操作が行なわれた場合、前記ボードの全体のうちの、前記指定領域に対応する対応部分に対する入力を無効にし、前記画面の前記指定領域に対する操作を可能とする裏面指定領域操作処理を実行する裏面指定領域操作処理部を更に有し、
前記裏面指定領域操作処理部は、前記裏面指定領域操作処理において、前記ボードの前記対応部分に対する入力を無効にしたときに、前記裏面指定領域操作処理の実行通知として、前記ボードの前記対応部分に対して強調表示を行なうことを特徴とする表示システム。
【請求項６】
前記裏面指定領域操作処理部は、
前記裏面指定領域操作処理において、前記裏面指定領域操作処理の実行を終了するための復帰用ジェスチャー操作が行なわれた場合、前記裏面指定領域操作処理の実行終了として、前記ボードの前記対応部分に対する入力を有効にし、
前記裏面指定領域操作処理の実行終了通知として、前記ボードの前記対応部分に対する強調表示を終了することを特徴とする請求項５に記載の表示システム。
【請求項７】
前記裏面指定領域操作処理部は、
前記裏面指定領域操作処理において、前記復帰用ジェスチャー操作が行なわれる前に、前記ボードの前記対応部分以外の部分に対する入力が行なわれた場合、前記ボードの前記対応部分に対する入力の無効を継続し、
前記裏面指定領域操作処理の実行継続通知として、前記ボードの前記対応部分に対する強調表示の表示形式を変更することを特徴とする請求項６に記載の表示システム。
【請求項８】
前記画面の前記指定領域は、前記画面内で指定されたウィンドウであることを特徴とする請求項５から７のいずれか一項に記載の表示システム。
【請求項９】
タッチパネルディスプレイ装置を制御する制御装置であって、
画面上にボードが表示されるように前記タッチパネルディスプレイ装置を制御する表示制御部と、
前記タッチパネルディスプレイ装置に対してジェスチャー操作が行なわれた場合、前記ボードの全体または一部に対する入力を無効にし、前記画面の全体または一部に対する操作を可能とする処理を実行する裏面操作処理部と、
を備え、
前記ジェスチャー操作は、前記ボードの背後に配置されている前記画面の全体を指定するための裏面指定用ジェスチャー操作であり、
前記裏面操作処理部は、
前記裏面指定用ジェスチャー操作が行なわれた場合、前記ボードの全体に対する入力を無効にし、前記画面の全体に対する操作を可能とする裏面指定操作処理を実行する裏面指定操作処理部を更に有し、
前記裏面指定操作処理部は、前記裏面指定操作処理において、前記ボードの全体に対する入力を無効にしたときに、前記裏面指定操作処理の実行通知として、前記ボードに表示されている表示情報の表示濃度を、第１表示濃度から、前記第１表示濃度よりも薄い第２表示濃度に変更することを特徴とする制御装置。
【請求項１０】
タッチパネルディスプレイ装置を制御する制御方法であって、
画面上にボードが表示されるように前記タッチパネルディスプレイ装置を制御する表示制御ステップと、
前記タッチパネルディスプレイ装置に対してジェスチャー操作が行なわれた場合、前記ボードの全体または一部に対する入力を無効にし、前記画面の全体または一部に対する操作を可能とする処理を実行する裏面操作処理ステップと、
を含み、
前記ジェスチャー操作は、前記ボードの背後に配置されている前記画面の全体を指定するための裏面指定用ジェスチャー操作であり、
前記裏面操作処理ステップは、
前記裏面指定用ジェスチャー操作が行なわれた場合、前記ボードの全体に対する入力を無効にし、前記画面の全体に対する操作を可能とする裏面指定操作処理を実行する裏面指定操作処理ステップを更に有し、
前記裏面指定操作処理ステップは、前記裏面指定操作処理において、前記ボードの全体に対する入力を無効にしたときに、前記裏面指定操作処理の実行通知として、前記ボードに表示されている表示情報の表示濃度を、第１表示濃度から、前記第１表示濃度よりも薄い第２表示濃度に変更することを特徴とする制御方法。
【発明の詳細な説明】
【技術分野】
【０００１】
本発明は、画面上に配置された透明ボードにタッチペンにより描画情報を描画（入力）可能な表示システムなどに関する。
【背景技術】
【０００２】
コンピュータにペンソフトウェアをインストールすることにより、ユーザは、画面上で、ホワイトボードモードや透明ボードモードを起動させることができる。画面は、メニュー、アイコン、ウィンドウなどを表示する表示領域と、ツールバーを表示するツールバー表示領域と、を含んでいる。
【０００３】
ホワイトボードモードは、ホワイトボードを画面（この場合、表示領域）上に配置するモードである。ホワイトボードモードでは、ホワイトボードに対する入力を有効とし、画面（表示領域）の全体に対する操作を不可としている。ホワイトボードモードにおいて、ユーザは、ホワイトボードに対してタッチペンにより文字等の描画情報を描画（入力）することができる。ホワイトボードは、一般的なホワイトボードのように白色のボードである。ホワイトボードが画面（表示領域）上に配置（表示）された場合、ホワイトボードモードにおいて、ユーザは、ホワイトボードの背後に配置されている画面（この場合、表示領域や、表示領域内のメニュー、アイコン、ウィンドウなど）を見ることができない。
【０００４】
透明ボードモードは、透明ボードを画面（この場合、表示領域）上に配置するモードである。透明ボードモードでは、透明ボードに対する入力を有効とし、画面（表示領域）の全体に対する操作を不可としている。透明ボードモードにおいて、ユーザは、透明ボードに対してタッチペンにより文字等の描画情報を描画（入力）することができる。また、透明ボードは、例えば、画面（表示領域）上で透明ボードを左右に動かすためのユーザインタフェースを少なくとも含んでいる。この透明ボードは、文字通り、透明なボートである。透明ボードが画面（表示領域）上に配置（表示）された場合、透明ボードモードにおいて、ユーザは、透明ボードの背後に配置されている画面（この場合、表示領域や、表示領域内のメニュー、アイコン、ウィンドウなど）を見ることができる。
【０００５】
ユーザは、透明ボードモードを起動させた場合、画面上に配置された透明ボードにタッチペンにより描画情報を描画（入力）することができる。しかし、透明ボードモードは、画面（表示領域）を操作する場合は、透明ボードの背後に配置されている画面（表示領域）を指定する必要がある。この場合、ユーザは、タッチペンにより画面のツールバーを操作して、ペンソフトウェア（この場合、透明ボードモード）の表示を最小化したり、ペンソフトウェア（この場合、透明ボードモード）の最小化アイコンをタッチしたりする必要がある。しかし、画面が大型である場合、ユーザは、透明ボードの背後に配置されている画面（表示領域）を指定したいときに、ユーザ自身が移動しなければならない。
【０００６】
ここで、表示に関する技術について紹介する。特許文献１は、画面に作図ウィンドウが表示され、作図ウィンドウ上にツールボックスが表示されている場合に、ツールボックスの下に隠れている作図ウィンドウをカーソルの操作により表示するコンピュータシステムを開示している。具体的には、特許文献１において、ユーザは、ツールボックスの下に隠れている作図ウィンドウを表示させたいときに、ツールボックスにカーソルを移動させて、しばらく待つ。コンピュータシステムは、カーソルがツールボックス内で静止していることを検知し、ツールボックスを自動的に消去する。これにより、ユーザは、作図ウィンドウを操作することができる。
【０００７】
また、特許文献２は、画面に画像が表示され、画像上に、その画像を隠すための目隠しウィンドウが表示されている場合に、目隠しウィンドウの背後に配置されている画像をユーザのタッチ操作により表示する表示システムを開示している。具体的には、特許文献２において、ユーザは、目隠しウィンドウの背後に表示されている画像の一部を表示させたいときに、目隠しウィンドウの任意の位置をタッチする。表示システムは、目隠しウィンドウのタッチされた位置の矩形座標を透過させる透過窓を開ける。これにより、ユーザは、目隠しウィンドウの透過窓から画像の一部を見ることができる。
【先行技術文献】
【特許文献】
【０００８】
【特許文献１】特開平１１−３５３０８６号公報
【特許文献２】特開２０１５−１１４２９号公報
【発明の概要】
【発明が解決しようとする課題】
【０００９】
しかしながら、特許文献１に開示された技術では、カーソルを用いたものであるため、あるウィンドウ内にカーソルが偶然に配置されている場合、そのウィンドウは消去されてしまう。また、特許文献１に開示された技術は透明ボードを用いたものではない。
【００１０】
また、特許文献２に開示された技術では、目隠しウィンドウをホワイトボードのように扱うため、透明ボードを用いたものではない。すなわち、ホワイトボードと透明ボードとでは、上述のようにボードの背後の見え方が異なる。また、特許文献２に開示された技術では、透明ボードを用いたものではないため、目隠しウィンドウの透過窓から画像の一部をユーザが参照できるだけで、その画像をユーザが操作できるものではない。
【００１１】
本発明は、上記従来の問題点に鑑みてなされたものであって、ユーザ自身が移動することなく、透明ボードの背後に配置されている画面を指定することができる表示システムなどを提供することを目的とする。
【課題を解決するための手段】
【００１２】
本発明の表示システムは、タッチパネルディスプレイ装置と、前記タッチパネルディスプレイ装置を制御する制御装置と、を具備し、前記制御装置は、画面上にボードが表示されるように前記タッチパネルディスプレイ装置を制御する表示制御部と、前記タッチパネルディスプレイ装置に対してジェスチャー操作が行なわれた場合、前記ボードの全体または一部に対する入力を無効にし、前記画面の全体または一部に対する操作を可能とする処理を実行する裏面操作処理部と、を具備することを特徴とする。
【００１３】
本発明の制御装置は、画面上にボードが表示されるようにタッチパネルディスプレイ装置を制御する表示制御部と、前記タッチパネルディスプレイ装置に対してジェスチャー操作が行なわれた場合、前記ボードの全体または一部に対する入力を無効にし、前記画面の全体または一部に対する操作を可能とする処理を実行する裏面操作処理部と、を具備することを特徴とする。
【００１４】
本発明の表示方法は、画面上にボードが表示されるようにタッチパネルディスプレイ装置を制御するステップと、前記タッチパネルディスプレイ装置に対してジェスチャー操作が行なわれた場合、前記ボードの全体または一部に対する入力を無効にし、前記画面の全体または一部に対する操作を可能とする処理を実行するステップと、を具備することを特徴とする。
【発明の効果】
【００１５】
本発明によれば、ユーザ自身が移動することなく、透明ボードの背後に配置されている画面を指定することができる。
【図面の簡単な説明】
【００１６】
【図１】第１実施形態に係る表示システムの構成を示すブロック図である。
【図２】第１実施形態に係る表示システムの動作（表示方法）を示すフローチャートである。
【図３】第１実施形態に係る表示システムの動作において、図２の透明ボードモード（ステップＳ３）を示すフローチャートである。
【図４】第１実施形態に係る表示システムの動作を説明するための図である。
【図５】第１実施形態に係る表示システムの動作を説明するための図である。
【図６】第１実施形態に係る表示システムの動作を説明するための図である。
【図７】第１実施形態に係る表示システムの動作を説明するための図である。
【図８】第２実施形態に係る表示システムの動作において、図２の透明ボードモード（ステップＳ３）を示すフローチャートである。
【図９】第２実施形態に係る表示システムの動作を説明するための図である。
【図１０】第３実施形態に係る表示システムの構成を示すブロック図である。
【図１１】第３実施形態に係る表示システムの動作において、図２の透明ボードモード（ステップＳ３）を示すフローチャートである。
【図１２】第３実施形態に係る表示システムの動作を説明するための図である。
【図１３】第４実施形態に係る表示システムの動作を説明するための図である。
【発明を実施するための形態】
【００１７】
以下、図面を参照しながら実施形態について説明する。
［第１実施形態］
図１は、第１実施形態に係る表示システムの構成を示すブロック図である。図２は、第１実施形態に係る表示システムの動作を示すフローチャートである。
【００１８】
図１に示されるように、第１実施形態に係る表示システムは、タッチパネルディスプレイ装置１００と、制御装置２００と、タッチペン３００と、を具備している。タッチペン３００は、制御装置２００に、ネットワークＮＥを介して接続されている。制御装置２００は、タッチパネルディスプレイ装置１００に接続され、タッチパネルディスプレイ装置１００を制御するコンピュータである。ネットワークＮＥによる通信は、無線通信でも有線通信でもよい。
【００１９】
図１に示されるように、タッチパネルディスプレイ装置１００は、タッチパネル１１０と、表示部１２０と、を具備している。タッチパネル１１０は、表示部１２０に設けられている。表示部１２０は、ＬＣＤ（Liquid Crystal Display）である。また、表示部１２０は、ＬＣＤに限定されず、ＬＥＤ（Light Emitting Diode）ディスプレイ、有機ＥＬ（Electro-Luminescence）、プロジェクタ等でもよい。
【００２０】
タッチペン３００は、ユーザがタッチパネルディスプレイ装置１００に対してタッチするためのペンである。
【００２１】
図１に示されるように、制御装置２００は、記憶部２１０と、制御部２２０とを具備している。記憶部２１０には、制御装置２００が実行可能なコンピュータプログラムが格納されている。制御部２２０は、ＣＰＵ（Central Processing Unit）である。ユーザの操作により制御装置２００の起動が指示された場合（例えば、図示しない電源ボタンが押下された場合）、制御部２２０は、記憶部２１０からコンピュータプログラムを読み出して実行する。その結果、制御装置２００が起動する。
【００２２】
また、記憶部２１０には、制御装置２００が実行可能なコンピュータプログラムとして、ペンソフトウェア２１２がインストールされている。制御装置２００が起動しているときに、ユーザの操作によりペンソフトウェア２１２の起動が指示された場合、制御部２２０は、記憶部２１０からペンソフトウェア２１２を読み出して実行する。その結果、ペンソフトウェア２１２が制御装置２００上で起動する。
【００２３】
図１に示されるように、制御部２２０は、入力検出部２３０と、表示制御部２４０と、を備えている。入力検出部２３０は、タッチパネルディスプレイ装置１００に対するタッチペン３００の入力を検出する。表示制御部２４０は、後述の画面や後述の透明ボードが表示されるようにタッチパネルディスプレイ装置１００を制御する。
【００２４】
表示制御部２４０は、画面表示制御部２４１と、画面操作処理部２４２と、透明ボード表示制御部２４３と、入力表示制御部２４４と、裏面操作処理部２５０と、を備えている。
【００２５】
画面表示制御部２４１は、画面Ｓｃ（図４を参照）が表示されるようにタッチパネルディスプレイ装置１００を制御する。
【００２６】
画面操作処理部２４２は、画面Ｓｃに表示された後述のメニューなどをユーザが指示媒体（タッチペン３００のペン先またはユーザの指先）でタッチしたときに、そのタッチに応じた処理を行なう。
【００２７】
透明ボード表示制御部２４３は、画面Ｓｃ上に透明ボードＢｔ（図６を参照）を配置する透明ボードモードを起動するための透明ボードモード起動指示が行なわれた場合、画面Ｓｃ上に透明ボードＢｔが表示されるようにタッチパネルディスプレイ装置１００を制御する。
【００２８】
入力表示制御部２４４は、透明ボードモードにおいて、タッチパネルディスプレイ装置１００に対してタッチペン３００により入力された情報を表す入力情報が、透明ボードＢｔに表示されるように、タッチパネルディスプレイ装置１００を制御する。
【００２９】
裏面操作処理部２５０は、透明ボードモードにおいて、タッチパネルディスプレイ装置１００に対してユーザが指示媒体（タッチペン３００のペン先またはユーザの指先）によりジェスチャー操作を行なった場合、透明ボードＢｔの全体に対する入力を無効にし、画面Ｓｃの全体に対する操作を可能とする処理を実行する。本実施形態では、ジェスチャー操作は、タッチペン３００のペン先で行なわれるものとする。
【００３０】
裏面操作処理部２５０は、裏面指定操作処理部２５１を備えている。裏面指定操作処理部２５１の動作については後述する。
【００３１】
図１〜７を用いて、表示制御部２４０の動作について説明する。図２は、第１実施形態に係る表示システムの動作（表示方法）を示すフローチャートである。図３は、第１実施形態に係る表示システムの動作において、図２の透明ボードモード（ステップＳ３）を示すフローチャートである。図４〜７は、第１実施形態に係る表示システムの動作を説明するための図である。
【００３２】
制御装置２００が起動しているときに、画面表示制御部２４１は、画面Ｓｃ（図４を参照）が表示されるようにタッチパネルディスプレイ装置１００を制御する（図２のステップＳ１）。
【００３３】
図４に示されるように、画面Ｓｃは、メニューＭｎ、アイコンＩｃ１、Ｉｃ２、ウィンドウＷｄなどを表示する表示領域Ｓｄと、ツールバーＳｂを表示するツールバー表示領域と、を含んでいる。例えば、ツールバー表示領域は、画面Ｓｃの表示領域Ｓｄの下段に配置されている。画面操作処理部２４２は、画面操作処理として、画面Ｓｃに表示されたメニューＭｎ、アイコンＩｃ１、Ｉｃ２、ウィンドウＷｄなどをユーザが指示媒体（タッチペン３００のペン先またはユーザの指先）でタッチしたときに、そのタッチに応じた処理を行なう。本実施形態では、画面操作処理の説明については省略する。
【００３４】
ここで、ペンソフトウェア２１２は、ホワイトボードを画面Ｓｃ（この場合、表示領域Ｓｄ）上に配置するホワイトボードモードと、透明ボードを画面Ｓｃ（この場合、表示領域Ｓｄ）上に配置する透明ボードモードとを備えている。
【００３５】
例えば、画面Ｓｃ上のアイコンＩｃ１は、ペンソフトウェア２１２のホワイトボードモードを起動するためのショートカットアイコンである。ユーザは、ホワイトボード起動指示として、画面Ｓｃ上のアイコンＩｃ１を、すばやく２度タッチ（いわゆる、ダブルクリック）することにより、ホワイトボードモードを起動させることができる。
【００３６】
例えば、画面Ｓｃ上のアイコンＩｃ２は、ペンソフトウェア２１２の透明ボードモードを起動するためのショートカットアイコンである。ユーザは、透明ボードモード起動指示として、画面Ｓｃ上のアイコンＩｃ２をダブルクリックすることにより、透明ボードモードを起動させることができる。
【００３７】
図５に示されるように、ホワイトボードモードは、ホワイトボードＢｗを画面Ｓｃ（この場合、表示領域Ｓｄ）上に配置するモードである。ホワイトボードモードでは、ホワイトボードＢｗに対する入力を有効とし、画面Ｓｃ（表示領域Ｓｄ）の全体に対する操作を不可としている。ホワイトボードモードにおいて、ユーザは、ホワイトボードＢｗに対してタッチペン３００により文字等の描画情報を描画（入力）することができる。ホワイトボードＢｗは、一般的なホワイトボードのように白色のボードである。ホワイトボードＢｗが画面Ｓｃ（表示領域Ｓｄ）上に配置（表示）された場合、ホワイトボードモードにおいて、ユーザは、ホワイトボードＢｗの背後に配置されている画面Ｓｃ（この場合、表示領域Ｓｄや、表示領域Ｓｄ内のメニューＭｎ、アイコンＩｃ１、Ｉｃ２、ウィンドウＷｄなど）を見ることができない。
【００３８】
図６に示されるように、透明ボードモードは、透明ボードＢｔを画面Ｓｃ（この場合、表示領域Ｓｄ）上に配置するモードである。透明ボードモードでは、透明ボードＢｔに対する入力を有効とし、画面Ｓｃ（表示領域Ｓｄ）の全体に対する操作を不可としている。透明ボードモードにおいて、ユーザは、透明ボードＢｔに対してタッチペン３００により文字等の描画情報を描画（入力）することができる。また、透明ボードＢｔは、例えば、画面Ｓｃ（表示領域Ｓｄ）上でページ送りやページ戻しを行なうためのユーザインタフェースＵＩを少なくとも含んでいる。この透明ボードＢｔは、文字通り、透明なボートである。透明ボードＢｔが画面Ｓｃ（表示領域Ｓｄ）上に配置（表示）された場合、透明ボードモードにおいて、ユーザは、透明ボードＢｔの背後に配置されている画面Ｓｃ（この場合、表示領域Ｓｄや、表示領域Ｓｄ内のメニューＭｎ、アイコンＩｃ１、Ｉｃ２、ウィンドウＷｄなど）を見ることができる。
【００３９】
ここで、ユーザが透明ボードモード起動指示を行なわない場合、すなわち、画面Ｓｃ上のアイコンＩｃ２をダブルクリックしない場合（図２のステップＳ２−Ｎｏ）、後述のステップＳ５が実行される。
【００４０】
一方、ユーザが、透明ボードモード起動指示を行なった場合、すなわち、画面Ｓｃ上のアイコンＩｃ２をダブルクリックした場合（図２のステップＳ２−Ｙｅｓ）、ペンソフトウェア２１２の透明ボードモードが起動する。この場合、透明ボード表示制御部２４３は、画面Ｓｃ（表示領域Ｓｄ）上に透明ボードＢｔが表示されるようにタッチパネルディスプレイ装置１００を制御する（図２のステップＳ３）。
【００４１】
透明ボードモード（ステップＳ３）において、例えば、時刻ｔ１１（図７を参照）に、ユーザは、タッチパネルディスプレイ装置１００に対してタッチペン３００により文字等の描画情報を描画（入力）する。このとき、入力表示制御部２４４は、その描画情報として、入力情報ＷＲ（図７を参照）が、画面Ｓｃ（表示領域Ｓｄ）上の透明ボードＢｔに表示されるように、タッチパネルディスプレイ装置１００を制御する（図３のステップＳ１０）。図７に示されるように、時刻ｔ１１において、透明ボードＢｔに対する入力が「有効」であり、画面Ｓｃ（表示領域Ｓｄ）の全体に対する操作が「不可」となっている。また、透明ボードＢｔには、入力情報ＷＲ、ユーザインタフェースＵＩを含む表示情報が表示されている。
【００４２】
透明ボードモード（ステップＳ３）において、ユーザがタッチパネルディスプレイ装置１００に対してタッチペン３００により後述の裏面指定用ジェスチャー操作を行なわない場合（図３のステップＳ１１−Ｎｏ）、後述のステップＳ４が実行される。
【００４３】
一方、透明ボードモード（ステップＳ３）において、例えば、時刻ｔ１１の後の時刻ｔ１２（図７を参照）に、ユーザは、タッチパネルディスプレイ装置１００（この場合、透明ボードＢｔ）に対してタッチペン３００により裏面指定用ジェスチャー操作ＯＰ１０を行なう（図３のステップＳ１１−Ｙｅｓ）。裏面指定用ジェスチャー操作ＯＰ１０は、透明ボードＢｔの背後に配置されている画面Ｓｃ（表示領域Ｓｄ）の全体を指定するためのジェスチャー操作である。本実施形態において、裏面指定用ジェスチャー操作ＯＰ１０は、タッチペン３００により一定時間（例えば、２秒間）以上押し続ける操作（いわゆる、長押し）であるものとする。
【００４４】
裏面指定用ジェスチャー操作ＯＰ１０が行なわれた場合、時刻ｔ１２の直後の時刻ｔ１３（図７を参照）に、裏面操作処理部２５０の裏面指定操作処理部２５１は、透明ボードＢｔの全体に対する入力を「無効」にし、画面Ｓｃ（表示領域Ｓｄ）の全体に対する操作を「可能」とする裏面指定操作処理（図３のステップＳ１２）を実行する。同時に、裏面指定操作処理部２５１は、裏面指定操作処理（ステップＳ１２）の実行通知として、透明ボードＢｔに表示されている表示情報（入力情報ＷＲ、ユーザインタフェースＵＩ）の表示濃度を薄くする。この場合、図７に示されるように、表示濃度を、第１表示濃度から、第１表示濃度よりも薄い第２表示濃度に変更する。
【００４５】
ここで、裏面指定操作処理（ステップＳ１２）において、裏面指定操作処理部２５１は、裏面指定操作処理（ステップＳ１２）の終了条件として、画面Ｓｃ（表示領域Ｓｄ）に対するタッチペン３００の操作が行なわれずに所定時間Ｔｐ（例えば、１０秒間）が経過したか否かを判定する（図３のステップＳ１３）。
【００４６】
終了条件の判定（ステップＳ１３）において、裏面指定操作処理部２５１は、その終了条件を判定している間、透明ボードＢｔに表示されている表示情報（入力情報ＷＲ、ユーザインタフェースＵＩ）の表示濃度を、第２表示濃度から徐々に濃くしていく。例えば、時刻ｔ１３の後の時刻ｔ１４（図７を参照）において、透明ボードＢｔに表示されている表示情報（入力情報ＷＲ、ユーザインタフェースＵＩ）の表示濃度を、第２表示濃度から、第１表示濃度と第２表示濃度との間の第３表示濃度に変更する。
【００４７】
ここで、時刻ｔ１３から所定時間Ｔｐが経過する前の時刻ｔ１４において、ユーザは、タッチパネルディスプレイ装置１００（この場合、画面Ｓｃ（表示領域Ｓｄ））に対してタッチペン３００により操作を行なう。このとき、裏面指定操作処理部２５１は、時刻ｔ１４に、透明ボードＢｔの全体に対する入力の無効を継続する（図３のステップＳ１３−Ｎｏ）。すなわち、ステップＳ１２が実行される。この場合、裏面指定操作処理部２５１は、裏面指定操作処理（ステップＳ１２）の実行継続通知として、透明ボードＢｔ上の表示情報（入力情報ＷＲ、ユーザインタフェースＵＩ）の表示濃度を、第３表示濃度から、第２表示濃度に変更する。
【００４８】
一方、時刻ｔ１３から所定時間Ｔｐが経過した時刻ｔ１５において、ユーザは、タッチパネルディスプレイ装置１００（この場合、画面Ｓｃ（表示領域Ｓｄ））に対してタッチペン３００により操作を行なっていない。このとき、裏面指定操作処理部２５１は、時刻ｔ１４に、透明ボードＢｔの全体に対する入力を「有効」にし、画面Ｓｃ（表示領域Ｓｄ）の全体に対する操作を「不可」とする（図３のステップＳ１３−Ｙｅｓ）。同時に、裏面指定操作処理部２５１は、裏面指定操作処理（ステップＳ１２）の実行終了通知として、透明ボードＢｔ上の表示情報（入力情報ＷＲ、ユーザインタフェースＵＩ）の表示濃度を、徐々に濃くする。この場合、図７に示されるように、表示濃度を、第２表示濃度から、第３表示濃度を介して、第１表示濃度に変更する。この後、後述のステップＳ４が実行される。
【００４９】
ユーザがタッチパネルディスプレイ装置１００（この場合、透明ボードＢｔまたはツールバーＳｂ）に対してタッチペン３００により透明ボードモードの終了指示を行なわない場合（図３のステップＳ４−Ｎｏ）、透明ボードモード（ステップＳ３）が実行される。
【００５０】
一方、ユーザがタッチパネルディスプレイ装置１００（この場合、透明ボードＢｔまたはツールバーＳｂ）に対してタッチペン３００により透明ボードモードの終了指示を行なった場合（図３のステップＳ４−Ｙｅｓ）、後述のステップＳ５が実行される。
【００５１】
ユーザが制御装置２００の起動を終了する指示をしない場合（例えば、図示しないシャットダウンが押下されない場合）、ステップＳ１が実行される。
【００５２】
一方、ユーザが制御装置２００の起動を終了する指示をした場合（例えば、図示しないシャットダウンが押下された場合）、制御部２２０は、制御装置２００の起動を終了する。
【００５３】
以上の説明により、第１実施形態に係る表示システムでは、タッチパネルディスプレイ装置１００と、タッチパネルディスプレイ装置１００に接続された制御装置２００と、を具備している。制御装置２００は、タッチパネルディスプレイ装置１００に対する入力を検出する入力検出部２３０と、画面Ｓｃが表示されるようにタッチパネルディスプレイ装置１００を制御する画面表示制御部２４１と、画面Ｓｃ（表示領域Ｓｄ）上に透明ボードＢｔを配置する透明ボードモードを起動するための透明ボードモード起動指示が行なわれた場合、画面Ｓｃ（表示領域Ｓｄ）上に透明ボードＢｔが表示されるようにタッチパネルディスプレイ装置１００を制御する透明ボード表示制御部２４３と、透明ボードモード（ステップＳ３）において、タッチパネルディスプレイ装置１００に対して入力された情報を表す入力情報ＷＲが、透明ボードＢｔに表示されるように、タッチパネルディスプレイ装置１００を制御する入力表示制御部２４４と、透明ボードモード（ステップＳ３）において、タッチパネルディスプレイ装置１００に対してジェスチャー操作（裏面指定用ジェスチャー操作ＯＰ１０）が行なわれた場合、透明ボードＢｔの全体に対する入力を無効にし、画面Ｓｃ（表示領域Ｓｄ）の全体に対する操作を可能とする処理を実行する裏面操作処理部２５０と、を具備している。
【００５４】
このように、第１実施形態に係る表示システムでは、透明ボードモード（ステップＳ３）において、ユーザがタッチパネルディスプレイ装置１００に対してジェスチャー操作（裏面指定用ジェスチャー操作ＯＰ１０）を行なうことにより、透明ボードＢｔの全体に対する入力が無効となり、画面Ｓｃ（表示領域Ｓｄ）の全体に対する操作が可能となるため、ユーザ自身が移動することなく、ユーザは、透明ボードＢｔの背後に配置されている画面Ｓｃ（表示領域Ｓｄ）を指定することができる。
【００５５】
また、第１実施形態に係る表示システムでは、ジェスチャー操作は、透明ボードＢｔの背後に配置されている画面Ｓｃ（表示領域Ｓｄ）の全体を指定するための裏面指定用ジェスチャー操作ＯＰ１０である。裏面操作処理部２５０は、透明ボードモード（ステップＳ３）において、裏面指定用ジェスチャー操作ＯＰ１０が行なわれた場合、透明ボードＢｔの全体に対する入力を無効にし、画面Ｓｃ（表示領域Ｓｄ）の全体に対する操作を可能とする裏面指定操作処理（ステップＳ１２）を実行する裏面指定操作処理部２５１を具備している。裏面指定操作処理部２５１は、透明ボードモード（ステップＳ３）の裏面指定操作処理（ステップＳ１２）において、透明ボードＢｔの全体に対する入力を無効にしたときに、裏面指定操作処理（ステップＳ１２）の実行通知として、透明ボードＢｔに表示されている入力情報ＷＲ、ユーザインタフェースＵＩの少なくとも１つを含む表示情報の表示濃度を、第１表示濃度から、第１表示濃度よりも薄い第２表示濃度に変更する。
【００５６】
第１実施形態に係る表示システムでは、透明ボードＢｔを用いるため、今現在、透明ボードＢｔの背後に配置されている画面Ｓｃ（表示領域Ｓｄ）が指定されているのか否かを、ユーザが確認できることが望ましい。そこで、第１実施形態に係る表示システムでは、透明ボードモード（ステップＳ３）の裏面指定操作処理（ステップＳ１２）が実行されるときに、その通知として、透明ボードＢｔに表示されている表示情報（入力情報ＷＲ、ユーザインタフェースＵＩ）の表示濃度が第１表示濃度から第２表示濃度に変更されるため、ユーザは、今現在、透明ボードＢｔではなく、透明ボードＢｔの背後に配置されている画面Ｓｃ（表示領域Ｓｄ）が指定されていることを視認することができる。
【００５７】
また、第１実施形態に係る表示システムでは、裏面指定操作処理部２５１は、透明ボードモードの裏面指定操作処理（ステップＳ１２）において、画面Ｓｃ（表示領域Ｓｄ）に対する操作が行なわれずに所定時間Ｔｐが経過した場合、裏面指定操作処理（ステップＳ１２）の実行終了として、透明ボードＢｔの全体に対する入力を有効にし、裏面指定操作処理（ステップＳ１２）の実行終了通知として、透明ボードＢｔ上の表示情報（入力情報ＷＲ、ユーザインタフェースＵＩ）の表示濃度を、第２表示濃度から第１表示濃度に変更する。
【００５８】
このように、第１実施形態に係る表示システムでは、透明ボードモード（ステップＳ３）の裏面指定操作処理（ステップＳ１２）の実行が終了したときに、その通知として、透明ボードＢｔ上の表示情報（入力情報ＷＲ、ユーザインタフェースＵＩ）の表示濃度が第２表示濃度から第１表示濃度に変更されるため、ユーザは、透明ボードＢｔの背後に配置されている画面Ｓｃ（表示領域Ｓｄ）への指定を終了したことを視認することができる。
【００５９】
また、第１実施形態に係る表示システムでは、裏面指定操作処理部２５１は、透明ボードモード（ステップＳ３）の裏面指定操作処理（ステップＳ１２）において、所定時間Ｔｐが経過する前に、画面Ｓｃ（表示領域Ｓｄ）に対する操作が行なわれた場合、透明ボードＢｔの全体に対する入力の無効を継続し、裏面指定操作処理（ステップＳ１２）の実行継続通知として、透明ボードＢｔ上の表示情報（入力情報ＷＲ、ユーザインタフェースＵＩ）の表示濃度を、第１表示濃度と第２表示濃度との間の第３表示濃度から、第２表示濃度に変更する。
【００６０】
このように、第１実施形態に係る表示システムでは、透明ボードモード（ステップＳ３）の裏面指定操作処理（ステップＳ１２）が継続して実行されるときに、その通知として、透明ボードＢｔに表示されている表示情報（入力情報ＷＲ、ユーザインタフェースＵＩ）の表示濃度が第３表示濃度から第２表示濃度に変更されるため、ユーザは、透明ボードＢｔの背後に配置されている画面Ｓｃ（表示領域Ｓｄ）を指定していることを視認することができる。
【００６１】
［第２実施形態］
第２実施形態では、第１実施形態からの変更点を説明する。
【００６２】
第１実施形態に係る表示システムでは、裏面指定操作処理（ステップＳ１２）は、画面Ｓｃ（表示領域Ｓｄ）に対するタッチペン３００の操作が行なわれずに所定時間Ｔｐが経過した場合に、終了する。一方、第２実施形態に係る表示システムでは、裏面指定操作処理（ステップＳ１２）は、ユーザの復帰用ジェスチャー操作により、強制的に終了する。
【００６３】
図１、２、８、９を用いて、表示制御部２４０の動作について説明する。図８は、第２実施形態に係る表示システムの動作において、図２の透明ボードモード（ステップＳ３）を示すフローチャートである。図９は、第２実施形態に係る表示システムの動作を説明するための図である。
【００６４】
まず、前述のステップＳ１〜Ｓ３が実行される。
【００６５】
透明ボードモード（ステップＳ３）において、ステップＳ１０が実行される。例えば、時刻ｔ２１（図９を参照）に、ユーザは、タッチパネルディスプレイ装置１００に対してタッチペン３００により文字等の描画情報を描画（入力）する。このとき、入力表示制御部２４４は、その描画情報として、入力情報ＷＲ（図９を参照）が、画面Ｓｃ（表示領域Ｓｄ）上の透明ボードＢｔに表示されるように、タッチパネルディスプレイ装置１００を制御する（図８のステップＳ１０）。図９に示されるように、時刻ｔ２１において、透明ボードＢｔに対する入力が「有効」であり、画面Ｓｃ（表示領域Ｓｄ）の全体に対する操作が「不可」となっている。また、透明ボードＢｔには、入力情報ＷＲ、ユーザインタフェースＵＩを含む表示情報が表示されている。
【００６６】
透明ボードモード（ステップＳ３）において、ステップＳ１１が実行される。例えば、時刻ｔ２１の後の時刻ｔ２２（図９を参照）に、ユーザは、タッチパネルディスプレイ装置１００（この場合、透明ボードＢｔ）に対してタッチペン３００により裏面指定用ジェスチャー操作ＯＰ１０（長押し）を行なう（図８のステップＳ１１−Ｙｅｓ）。
【００６７】
裏面指定用ジェスチャー操作ＯＰ１０が行なわれた場合、ステップＳ１２が実行される。この場合、時刻ｔ２２の直後の時刻ｔ２３（図９を参照）に、裏面操作処理部２５０の裏面指定操作処理部２５１は、透明ボードＢｔの全体に対する入力を「無効」にし、画面Ｓｃ（表示領域Ｓｄ）の全体に対する操作を「可能」とする裏面指定操作処理（図８のステップＳ１２）を実行する。同時に、裏面指定操作処理部２５１は、裏面指定操作処理（ステップＳ１２）の実行通知として、透明ボードＢｔに表示されている表示情報（入力情報ＷＲ、ユーザインタフェースＵＩ）の表示濃度を薄くする（表示濃度を第１表示濃度から第２表示濃度に変更する）。
【００６８】
ここで、裏面指定操作処理（ステップＳ１２）において、裏面指定操作処理部２５１は、ユーザにより後述の復帰用ジェスチャー操作が行なわれたか否かを判定する（図８のステップＳ２０）。
【００６９】
例えば、時刻ｔ２３の後の時刻ｔ２４（図９を参照）において、ユーザは、タッチパネルディスプレイ装置１００に対してタッチペン３００により後述の復帰用ジェスチャー操作を行なっていない場合（図８のステップＳ２０−Ｎｏ）。この場合、裏面指定操作処理（ステップＳ１２）が実行される。
【００７０】
一方、時刻ｔ２４の後の時刻ｔ２５（図９を参照）において、ユーザは、タッチパネルディスプレイ装置１００（この場合、透明ボードＢｔ）に対してタッチペン３００により復帰用ジェスチャー操作ＯＰ２０を行なう（図８のステップＳ２０−Ｙｅｓ）。復帰用ジェスチャー操作ＯＰ２０は、裏面指定操作処理（ステップＳ１２）の実行を終了するためのジェスチャー操作である。本実施形態において、復帰用ジェスチャー操作ＯＰ２０は、タッチペン３００により一定時間（例えば、２秒間）以上押し続ける操作（いわゆる、長押し）であるものとする。
【００７１】
復帰用ジェスチャー操作ＯＰ２０が行なわれた場合、時刻ｔ２５（図９を参照）に、裏面指定操作処理部２５１は、透明ボードＢｔの全体に対する入力を「有効」にし、画面Ｓｃ（表示領域Ｓｄ）の全体に対する操作を「不可」とする。同時に、裏面指定操作処理部２５１は、裏面指定操作処理（ステップＳ１２）の実行終了通知として、透明ボードＢｔ上の表示情報（入力情報ＷＲ、ユーザインタフェースＵＩ）の表示濃度を濃くする（表示濃度を第２表示濃度から第１表示濃度に変更する）。
【００７２】
その後、前述のステップＳ４、Ｓ５が実行される。
【００７３】
以上の説明により、第２実施形態に係る表示システムでは、裏面指定操作処理部２５１は、透明ボードモード（ステップＳ３）の裏面指定操作処理（ステップＳ１２）において、裏面指定操作処理（ステップＳ１２）の実行を終了するための復帰用ジェスチャー操作ＯＰ２０が行なわれた場合、裏面指定操作処理（ステップＳ１２）の実行終了として、透明ボードＢｔの全体に対する入力を有効にし、裏面指定操作処理（ステップＳ１２）の実行継続通知として、透明ボードＢｔ上の表示情報（入力情報ＷＲ、ユーザインタフェースＵＩ）の表示濃度を、第２表示濃度から第１表示濃度に変更する。
【００７４】
このように、第２実施形態に係る表示システムでは、ユーザがタッチパネルディスプレイ装置１００に対して復帰用ジェスチャー操作ＯＰ２０を行なうことにより、透明ボードＢｔの全体に対する入力が有効となるため、ユーザ自身が移動することなく、透明ボードモード（ステップＳ３）の裏面指定操作処理（ステップＳ１２）の実行を終了させることができる。また、裏面指定操作処理（ステップＳ１２）の実行の実行が終了したときに、その通知として、透明ボードＢｔ上の表示情報（入力情報ＷＲ、ユーザインタフェースＵＩ）の表示濃度が第２表示濃度から第１表示濃度に変更されるため、ユーザは、透明ボードＢｔの背後に配置されている画面Ｓｃ（表示領域Ｓｄ）への指定を終了したことを視認することができる。
【００７５】
［第３実施形態］
第３実施形態では、第２実施形態からの変更点を説明する。
【００７６】
第２実施形態に係る表示システムでは、裏面操作処理部２５０は、透明ボードモードにおいて、タッチパネルディスプレイ装置１００に対してタッチペン３００によりジェスチャー操作（裏面指定用ジェスチャー操作ＯＰ１０）が行なわれた場合、透明ボードＢｔの全体に対する入力を無効にし、画面Ｓｃの全体に対する操作を可能とする処理を実行する。一方、第３実施形態に係る表示システムでは、裏面操作処理部２５０は、透明ボードモードにおいて、タッチパネルディスプレイ装置１００に対してタッチペン３００によりジェスチャー操作が行なわれた場合、透明ボードＢｔの一部に対する入力を無効にし、画面Ｓｃの一部に対する操作を可能とする処理を実行する。
【００７７】
図１０は、第３実施形態に係る表示システムの構成を示すブロック図である。裏面操作処理部２５０は、更に、裏面指定領域操作処理部２５３を備えている。裏面指定領域操作処理部２５３の動作については後述する。
【００７８】
図２、１０〜１２を用いて、表示制御部２４０の動作について説明する。図１１は、第３実施形態に係る表示システムの動作において、図２の透明ボードモード（ステップＳ３）を示すフローチャートである。図１２は、第３実施形態に係る表示システムの動作を説明するための図である。
【００７９】
まず、前述のステップＳ１〜Ｓ３が実行される。
【００８０】
透明ボードモード（ステップＳ３）において、ステップＳ１０が実行される。例えば、時刻ｔ３１（図１２を参照）に、ユーザは、タッチパネルディスプレイ装置１００に対してタッチペン３００により文字等の描画情報を描画（入力）する。このとき、入力表示制御部２４４は、その描画情報として、入力情報ＷＲ（図１２を参照）が、画面Ｓｃ（表示領域Ｓｄ）上の透明ボードＢｔに表示されるように、タッチパネルディスプレイ装置１００を制御する（図１１のステップＳ１０）。図１２に示されるように、時刻ｔ３１において、透明ボードＢｔに対する入力が「有効」であり、画面Ｓｃ（表示領域Ｓｄ）の全体に対する操作が「不可」となっている。また、透明ボードＢｔには、入力情報ＷＲ、ユーザインタフェースＵＩを含む表示情報が表示されている。
【００８１】
透明ボードモード（ステップＳ３）において、ユーザがタッチパネルディスプレイ装置１００に対してタッチペン３００により後述の裏面領域指定用ジェスチャー操作を行なわない場合（図１１のステップＳ３１−Ｎｏ）、前述のステップＳ４が実行される。
【００８２】
一方、透明ボードモード（ステップＳ３）において、例えば、時刻ｔ３１の後の時刻ｔ３２（図１２を参照）に、ユーザは、タッチパネルディスプレイ装置１００（この場合、透明ボードＢｔ）に対してタッチペン３００により裏面領域指定用ジェスチャー操作ＯＰ３１を行なう（図１１のステップＳ３１−Ｙｅｓ）。裏面領域指定用ジェスチャー操作ＯＰ３１は、透明ボードＢｔの背後に配置されている画面Ｓｃ（表示領域Ｓｄ）内の任意の領域を指定領域として指定するためのジェスチャー操作である。本実施形態において、裏面領域指定用ジェスチャー操作ＯＰ３１は、タッチペン３００で描く軌跡により、任意の領域（指定領域）を囲む操作であるものとする。ここで、指定領域は、画面Ｓｃ（表示領域Ｓｄ）内で指定されたウィンドウＷｄであるものとする。
【００８３】
裏面領域指定用ジェスチャー操作ＯＰ３１が行なわれた場合、時刻ｔ３２（図１２を参照）において、裏面操作処理部２５０の裏面指定領域操作処理部２５３は、透明ボードＢｔの全体のうちの、指定領域（ウィンドウＷｄ）に対応する対応部分３０に対する入力を「無効」（すなわち、一部分だけ無効）にし、画面Ｓｃ（表示領域Ｓｄ）の指定領域（ウィンドウＷｄ）に対する操作を「可能」（すなわち、一部分だけ可能）とする裏面指定領域操作処理（図１１のステップＳ３２）を実行する。同時に、裏面指定領域操作処理部２５３は、裏面指定領域操作処理（ステップＳ３２）の実行通知として、透明ボードＢｔの上記対応部分３０に対して強調表示を行なう。
【００８４】
例えば、第１の強調表示として、透明ボードＢｔの上記対応部分３０の枠を表す線の幅を強調する場合、裏面指定領域操作処理部２５３は、透明ボードＢｔの上記対応部分３０の枠を表す線の幅を、第１幅から、第１幅よりも太い第２幅に変更する。または、第２の強調表示として、透明ボードＢｔの上記対応部分３０の枠を表す線の色を変更する場合、裏面指定領域操作処理部２５３は、透明ボードＢｔの上記対応部分３０の枠を表す線の色を、第１色（例えば、黒色）から、第２色（例えば、赤色）に変更する。または、第３の強調表示として、透明ボードＢｔの上記対応部分３０の透過率を変更する場合、裏面指定領域操作処理部２５３は、透明ボードＢｔの上記対応部分３０の透過率を、第１透過率から、第１透過率よりも透過率が低い第２透過率に変更する。または、第４の強調表示として、透明ボードＢｔの上記対応部分３０に対して、第１〜第３の強調表示の組み合わせでもよい。
【００８５】
いま、時刻ｔ３２（図１２を参照）において、透明ボードＢｔの上記対応部分３０に対する入力が「無効」（一部分だけ無効）であり、透明ボードＢｔの上記対応部分３０以外の部分に対する入力は「有効」（一部分以外は有効）である。例えば、時刻ｔ３２の後の時刻ｔ３３（図１２を参照）において、ユーザは、透明ボードＢｔの上記対応部分３０以外の部分に対してタッチペン３００により入力（指定領域外操作ＯＰ３２）を行なう。この場合、ユーザが後述の復帰用ジェスチャー操作を行なっていないため（図１１のステップＳ３３−Ｎｏ）、裏面指定領域操作処理（ステップＳ３２）が実行される。この場合、裏面指定領域操作処理（ステップＳ３２）において、裏面指定領域操作処理部２５３は、透明ボードＢｔの上記対応部分３０に対する入力の「無効」（一部分だけ無効）を継続する。同時に、裏面指定領域操作処理部２５３は、裏面指定領域操作処理（ステップＳ３２）の実行継続通知として、透明ボードＢｔの上記対応部分３０に対する強調表示の表示形式を変更する。
【００８６】
例えば、第１の強調表示においては、裏面指定領域操作処理部２５３は、透明ボードＢｔの上記対応部分３０の枠を表す線の幅を、第２幅から、第１幅と第２幅との間の第３幅に変更する。または、第２の強調表示においては、裏面指定領域操作処理部２５３は、透明ボードＢｔの上記対応部分３０の枠を表す線の色を、第２色（赤色）から、第２色とは異なる第３色（例えば、上記赤色よりも薄い赤色）に変更する。または、第３の強調表示においては、裏面指定領域操作処理部２５３は、透明ボードＢｔの上記対応部分３０の透過率を、第２透過率から、第１透過率と第２透過率との間の第３透過率に変更する。または、第４の強調表示においては、透明ボードＢｔの上記対応部分３０に対して、第１〜第３の強調表示の組み合わせでもよい。
【００８７】
いま、時刻ｔ３３（図１２を参照）において、透明ボードＢｔの上記対応部分３０に対する入力が「無効」（一部分だけ無効）であり、透明ボードＢｔの上記対応部分３０以外の部分に対する入力は「有効」（一部分以外は有効）である。例えば、時刻ｔ３３の後の時刻ｔ３４（図１２を参照）において、ユーザは、透明ボードＢｔの上記対応部分３０に対してタッチペン３００により操作（指定領域内操作ＯＰ３３）を行なう。この場合、ユーザが後述の復帰用ジェスチャー操作を行なっていないため（図１１のステップＳ３３−Ｎｏ）、裏面指定領域操作処理（ステップＳ３２）が実行される。この場合、裏面指定領域操作処理（ステップＳ３２）において、裏面指定領域操作処理部２５３は、透明ボードＢｔの上記対応部分３０に対する入力の「無効」（一部分だけ無効）を継続する。同時に、裏面指定領域操作処理部２５３は、裏面指定領域操作処理（ステップＳ３２）の実行継続通知として、透明ボードＢｔの上記対応部分３０に対する強調表示の表示形式を変更する。
【００８８】
例えば、第１の強調表示においては、裏面指定領域操作処理部２５３は、透明ボードＢｔの上記対応部分３０の枠を表す線の幅を、第３幅から、第２幅に変更する。または、第２の強調表示においては、裏面指定領域操作処理部２５３は、透明ボードＢｔの上記対応部分３０の枠を表す線の色を、第３色（例えば、薄い赤色）から、第２色（赤色）に変更する。または、第３の強調表示においては、裏面指定領域操作処理部２５３は、透明ボードＢｔの上記対応部分３０の透過率を、第３透過率から、第２透過率に変更する。または、第４の強調表示においては、透明ボードＢｔの上記対応部分３０に対して、第１〜第３の強調表示の組み合わせでもよい。
【００８９】
いま、時刻ｔ３４（図１２を参照）において、透明ボードＢｔの上記対応部分３０に対する入力が「無効」（一部分だけ無効）であり、透明ボードＢｔの上記対応部分３０以外の部分に対する入力は「有効」（一部分以外は有効）である。例えば、時刻ｔ３４の後の時刻ｔ３５（図１２を参照）において、ユーザは、タッチパネルディスプレイ装置１００（この場合、透明ボードＢｔ）に対してタッチペン３００により復帰用ジェスチャー操作ＯＰ３４を行なう（図１１のステップＳ３３−Ｙｅｓ）。復帰用ジェスチャー操作ＯＰ３４は、裏面指定領域操作処理（ステップＳ３２）の実行を終了するためのジェスチャー操作である。本実施形態において、復帰用ジェスチャー操作ＯＰ３４は、タッチペン３００で描く軌跡（図１２の一点鎖線）により、裏面領域指定用ジェスチャー操作ＯＰ３１により指定された指定領域（ウィンドウＷｄ）を囲む操作であるものとする。
【００９０】
復帰用ジェスチャー操作ＯＰ３４が行なわれた場合、時刻ｔ３５（図１２を参照）に、裏面指定領域操作処理部２５３は、透明ボードＢｔの全体に対する入力を「有効」にし、画面Ｓｃ（表示領域Ｓｄ）の全体に対する操作を「不可」とする。同時に、裏面指定領域操作処理部２５３は、裏面指定領域操作処理（ステップＳ３２）の実行終了通知として、透明ボードＢｔの上記対応部分３０に対する強調表示を終了する。
【００９１】
例えば、第１の強調表示においては、裏面指定領域操作処理部２５３は、透明ボードＢｔの上記対応部分３０の枠を表す線の幅を、第２幅から、第１幅に変更する。または、第２の強調表示においては、裏面指定領域操作処理部２５３は、透明ボードＢｔの上記対応部分３０の枠を表す線の色を、第２色（赤色）から、第１色（黒色）に変更する。または、第３の強調表示においては、裏面指定領域操作処理部２５３は、透明ボードＢｔの上記対応部分３０の透過率を、第２透過率から、第１透過率に変更する。または、第４の強調表示においては、透明ボードＢｔの上記対応部分３０に対して、第１〜第３の強調表示の組み合わせでもよい。
【００９２】
その後、前述のステップＳ４、Ｓ５が実行される。
【００９３】
以上の説明により、第３実施形態に係る表示システムでは、タッチパネルディスプレイ装置１００と、タッチパネルディスプレイ装置１００に接続された制御装置２００と、を具備している。制御装置２００は、タッチパネルディスプレイ装置１００に対する入力を検出する入力検出部２３０と、画面Ｓｃが表示されるようにタッチパネルディスプレイ装置１００を制御する画面表示制御部２４１と、画面Ｓｃ（表示領域Ｓｄ）上に透明ボードＢｔを配置する透明ボードモードを起動するための透明ボードモード起動指示が行なわれた場合、画面Ｓｃ（表示領域Ｓｄ）上に透明ボードＢｔが表示されるようにタッチパネルディスプレイ装置１００を制御する透明ボード表示制御部２４３と、透明ボードモード（ステップＳ３）において、タッチパネルディスプレイ装置１００に対して入力された情報を表す入力情報ＷＲが、透明ボードＢｔに表示されるように、タッチパネルディスプレイ装置１００を制御する入力表示制御部２４４と、透明ボードモード（ステップＳ３）において、タッチパネルディスプレイ装置１００に対してジェスチャー操作（裏面領域指定用ジェスチャー操作ＯＰ３１）が行なわれた場合、透明ボードＢｔの一部に対する入力を無効にし、画面Ｓｃ（表示領域Ｓｄ）の一部に対する操作を可能とする処理を実行する裏面操作処理部２５０と、を具備している。
【００９４】
このように、第３実施形態に係る表示システムでは、透明ボードモード（ステップＳ３）において、ユーザがタッチパネルディスプレイ装置１００に対してジェスチャー操作（裏面領域指定用ジェスチャー操作ＯＰ３１）を行なうことにより、透明ボードＢｔの一部に対する入力が無効となり、画面Ｓｃ（表示領域Ｓｄ）の一部に対する操作が可能となるため、ユーザ自身が移動することなく、ユーザは、透明ボードＢｔの背後に配置されている画面Ｓｃ（表示領域Ｓｄ）の一部を指定することができる。
【００９５】
具体的には、第３実施形態に係る表示システムでは、ジェスチャー操作は、透明ボードＢｔの背後に配置されている画面Ｓｃ（表示領域Ｓｄ）内の任意の領域Ｗｄを指定領域として指定するための裏面領域指定用ジェスチャー操作ＯＰ３１である。裏面操作処理部２５０は、透明ボードモード（ステップＳ３）において、裏面領域指定用ジェスチャー操作ＯＰ３１が行なわれた場合、透明ボードＢｔの全体のうちの、指定領域Ｗｄに対応する対応部分３０に対する入力を無効にし、画面Ｓｃ（表示領域Ｓｄ）の指定領域Ｗｄに対する操作を可能とする裏面指定領域操作処理（ステップＳ３２）を実行する裏面指定領域操作処理部２５３を具備している。裏面指定領域操作処理部２５３は、透明ボードモード（ステップＳ３）の裏面指定領域操作処理（ステップＳ３２）において、透明ボードＢｔの対応部分３０に対する入力を無効にしたときに、裏面指定領域操作処理（ステップＳ３２）の実行通知として、透明ボードＢｔの対応部分３０に対して強調表示を行なう。ここで、画面Ｓｃ（表示領域Ｓｄ）の指定領域は、画面Ｓｃ（表示領域Ｓｄ）内で指定されたウィンドウＷｄである。
【００９６】
第３実施形態に係る表示システムでは、透明ボードＢｔを用いるため、今現在、透明ボードＢｔの背後に配置されている画面Ｓｃ（表示領域Ｓｄ）の一部が指定されているのか否かを、ユーザが確認できることが望ましい。そこで、第３実施形態に係る表示システムでは、透明ボードモード（ステップＳ３）の裏面指定領域操作処理（ステップＳ３２）が実行されるときに、その通知として、透明ボードＢｔの対応部分３０が強調表示されるため、ユーザは、透明ボードＢｔの背後に配置されている画面Ｓｃ（表示領域Ｓｄ）の一部を指定したことを視認することができる。
【００９７】
また、第３実施形態に係る表示システムでは、裏面指定領域操作処理部２５３は、透明ボードモード（ステップＳ３）の裏面指定領域操作処理（ステップＳ３２）において、裏面指定領域操作処理（ステップＳ３２）の実行を終了するための復帰用ジェスチャー操作ＯＰ３４が行なわれた場合、裏面指定領域操作処理（ステップＳ３２）の実行終了として、透明ボードＢｔの対応部分３０に対する入力を有効にし、裏面指定領域操作処理（ステップＳ３２）の実行終了通知として、透明ボードＢｔの対応部分３０に対する強調表示を終了する。
【００９８】
このように、第３実施形態に係る表示システムでは、透明ボードモード（ステップＳ３）の裏面指定領域操作処理（ステップＳ３２）の実行が終了したときに、その通知として、透明ボードＢｔの対応部分３０に対する強調表示が終了するため、ユーザは、透明ボードＢｔの背後に配置されている画面Ｓｃ（表示領域Ｓｄ）の一部への指定を終了したことを視認することができる。
【００９９】
また、第３実施形態に係る表示システムでは、裏面指定領域操作処理部２５３は、透明ボードモード（ステップＳ３）の裏面指定領域操作処理（ステップＳ３２）において、復帰用ジェスチャー操作ＯＰ３４が行なわれる前に、透明ボードＢｔの対応部分３０以外の部分に対する入力が行なわれた場合、透明ボードＢｔの対応部分３０に対する入力の無効を継続し、裏面指定領域操作処理（ステップＳ３２）の実行継続通知として、透明ボードＢｔの対応部分３０に対する強調表示の表示形式を変更する。
【０１００】
このように、第３実施形態に係る表示システムでは、透明ボードモード（ステップＳ３）の裏面指定領域操作処理（ステップＳ３２）が継続して実行されるときに、その通知として、透明ボードＢｔの対応部分３０に対する強調表示の表示形式が変更されるため、ユーザは、透明ボードＢｔの背後に配置されている画面Ｓｃ（表示領域Ｓｄ）の一部を指定していることを視認することができる。
【０１０１】
［第４実施形態］
第４実施形態に係る表示システムでは、第３実施形態からの変更点を説明する。
【０１０２】
第３実施形態に係る表示システムでは、画面Ｓｃ（表示領域Ｓｄ）の指定領域は、画面Ｓｃ（表示領域Ｓｄ）内で指定されたウィンドウＷｄであるが、これに限定されない。図１３に示されるように、第４実施形態に係る表示システムでは、画面Ｓｃ（表示領域Ｓｄ）の指定領域は、ウィンドウＷｄ以外でもよく、タッチペン３００で描く軌跡により囲まれた任意の領域Ａｒでもよい。
【０１０３】
第４実施形態に係る表示システムでは、指定領域として、第３実施形態におけるウィンドウＷｄを、任意の領域Ａｒに置き換えれば、その効果は第３実施形態と同じである。
【０１０４】
以上のように、本発明は上述した実施形態に限定されるものではなく、種々の変更が可能である。すなわち、適宜変更した技術的手段を組み合わせて得られる実施形態についても本発明の技術的範囲に含まれる。
【符号の説明】
【０１０５】
３０  …  対応部分
１００  …  タッチパネルディスプレイ装置
１１０  …  タッチパネル
１２０  …  表示部
２００  …  制御装置
２１０  …  記憶部
２１２  …  ペンソフトウェア
２２０  …  制御部
２３０  …  入力検出部
２４０  …  表示制御部
２４１  …  画面表示制御部
２４２  …  画面操作処理部
２４３  …  透明ボード表示制御部
２４４  …  入力表示制御部
２５０  …  裏面操作処理部
２５１  …  裏面指定操作処理部
２５３  …  裏面指定領域操作処理部
Ａｒ  …  領域（指定領域）
Ｂｔ  …  透明ボード
Ｂｗ  …  ホワイトボード
Ｉｃ１  …  アイコン
Ｉｃ２  …  アイコン
Ｍｎ  …  メニュー
ＯＰ１０  …  裏面指定用ジェスチャー操作
ＯＰ２０  …  復帰用ジェスチャー操作
ＯＰ３１  …  裏面領域指定用ジェスチャー操作
ＯＰ３２  …  指定領域外操作
ＯＰ３３  …  指定領域内操作
ＯＰ３４  …  復帰用ジェスチャー操作
Ｓｂ  …  ツールバー
Ｓｃ  …  画面
Ｓｄ  …  表示領域
Ｔｐ  …  所定時間
ＵＩ  …  ユーザインタフェース
Ｗｄ  …  ウィンドウ
ＷＲ  …  入力情報
【図１】
0006581936.tif 000002
【図２】
0006581936.tif 000003
【図３】
0006581936.tif 000004
【図４】
0006581936.tif 000005
【図５】
0006581936.tif 000006
【図６】
0006581936.tif 000007
【図７】
0006581936.tif 000008
【図８】
0006581936.tif 000009
【図９】
0006581936.tif 000010
【図１０】
0006581936.tif 000011
【図１１】
0006581936.tif 000012
【図１２】
0006581936.tif 000013
【図１３】
0006581936.tif 000014